(57)【要約】      （修正有）【課題】コピー装置を適切に静音化することができる技術を提供する。【解決手段】コピー装置は、少なくとも、通常スキャン動作と、通常スキャン動作よりも動作音が小さな静音スキャン動作とを切り替えて原稿を読み取るスキャナーと、少なくとも、通常印刷動作と、通常印刷動作よりも動作音が小さな静音印刷動作とを切り替えて印刷を行うプリンターとを備える。通常スキャン動作と、通常印刷動作で動作させる第１モードと、静音スキャン動作と、静音印刷動作で動作させる第２モードと、通常スキャン動作と、静音印刷動作で動作させる第３モードと、静音スキャン動作と、通常印刷動作で動作させる第４モードとを含む動作モードのなかから、コピー設定と原稿の量とに応じて選択した動作モードでスキャナーとプリンターとを動作させて、原稿のコピーを行わせる制御部と、を備える。【選択図】図４
2016165039.tif 000002
【特許請求の範囲】
【請求項１】
少なくとも、通常スキャン動作と、前記通常スキャン動作よりも動作音が小さな静音スキャン動作とを切り替えて、原稿トレイにセットされた原稿を順次スキャンしてスキャンデータを生成するスキャナーと、
少なくとも、通常印刷動作と、前記通常印刷動作よりも動作音が小さな静音印刷動作とを切り替えて、前記スキャンデータに基づいて印刷を行うプリンターと、
コピー設定を受け付ける受付部と、
前記原稿トレイにセットされた原稿の量を取得する取得部と、
前記通常スキャン動作で前記スキャナーを動作させ、前記通常印刷動作で前記プリンターを動作させる第１モードと、前記静音スキャン動作で前記スキャナーを動作させ、前記静音印刷動作で前記プリンターを動作させる第２モードと、前記通常スキャン動作で前記スキャナーを動作させ、前記静音印刷動作で前記プリンターを動作させる第３モードと、前記静音スキャン動作で前記スキャナーを動作させ、前記通常印刷動作で前記プリンターを動作させる第４モードとを含む動作モードのなかから、前記コピー設定と前記原稿の量とに応じて選択した前記動作モードで前記スキャナーと前記プリンターとを動作させて、前記原稿のコピーを行わせる制御部と、
を備えるコピー装置。
【請求項２】
前記制御部は、前記コピー設定として部単位コピーを行う設定と割り付けコピーを行う設定の少なくとも一方を受け付けている場合には、前記第１モードと前記第２モードと前記第３モードのなかから、前記スキャナーと前記プリンターとを動作させる前記動作モードを選択する、
請求項１に記載のコピー装置。
【請求項３】
前記制御部は、前記コピー設定として部単位コピーを行う設定と割り付けコピーを行う設定のいずれも受け付けていない場合には、前記第１モードと前記第２モードと前記第４モードのなかから、前記スキャナーと前記プリンターとを動作させる前記動作モードを選択する、
請求項１または請求項２に記載のコピー装置。
【請求項４】
前記取得部は、前記スキャナーに備えられ、前記原稿の総重量を測定する重量計である、
請求項１から請求項３のいずれか一項に記載のコピー装置。
【請求項５】
前記取得部は、前記スキャナーに備えられ、前記原稿の総厚を測定する厚さ計である、
請求項１から請求項３のいずれか一項に記載のコピー装置。
【発明の詳細な説明】
【技術分野】
【０００１】
本発明は、コピー装置に関する。
【背景技術】
【０００２】
プリント待ちの印刷ジョブの総数やプリント待ちの印刷ジョブの総処理時間に基づいて、生産性優先モードと静音優先モードのいずれかに自動的に切り替えるプリンターが知られている（例えば、特許文献１）。
【先行技術文献】
【特許文献】
【０００３】
【特許文献１】特開２００２−３３１７２７号公報
【発明の概要】
【発明が解決しようとする課題】
【０００４】
しかしながら、コピーを行うコピー装置においては、原稿をスキャンするスキャナーの部分においても動作音が生じるため、プリンターの部分を静音優先モードに切り替えてもコピー装置を適切に静音化させることができないという問題があった。また、原稿のスキャンにも期間を要するため、プリンターの部分を静音優先モードにしないようにしたとしても、必ずしも迅速にコピーができるわけではないという問題があった。
本発明は、コピー装置を適切に静音化することができる技術を提供することを目的とする。
【課題を解決するための手段】
【０００５】
目的を達成するため、本発明のコピー装置は、少なくとも、通常スキャン動作と、通常スキャン動作よりも動作音が小さな静音スキャン動作とを切り替えて、原稿トレイにセットされた原稿を順次スキャンしてスキャンデータを生成するスキャナーと、少なくとも、通常印刷動作と、通常印刷動作よりも動作音が小さな静音印刷動作とを切り替えて、スキャンデータに基づいて印刷を行うプリンターと、コピー設定を受け付ける受付部と、原稿トレイにセットされた原稿の量を取得する取得部と、制御部と、を備えるように構成される。制御部は、通常スキャン動作でスキャナーを動作させ、通常印刷動作でプリンターを動作させる第１モードと、静音スキャン動作でスキャナーを動作させ、静音印刷動作でプリンターを動作させる第２モードと、通常スキャン動作でスキャナーを動作させ、静音印刷動作でプリンターを動作させる第３モードと、静音スキャン動作でスキャナーを動作させ、通常印刷動作でプリンターを動作させる第４モードとを含む動作モードのなかから、コピー設定と原稿の量とに応じて選択した動作モードでスキャナーとプリンターとを動作させて、原稿のコピーを行わせる。
【０００６】
前記の構成において、スキャナーとプリンターの双方の動作音が小さくなる第２モードと、スキャナーとプリンターの一方の動作音が小さくなる第３，４モードと、スキャナーとプリンターの双方とも動作音が小さくならない第１モードと、をコピー設定と原稿の量とに応じて切り替えることができる。一般に、動作音を小さくするためには、モーター等の駆動部の駆動速度を小さくする必要があるため、スキャナーとプリンターの動作速度も小さくなる。コピー設定と原稿の量とに基づいて、プリンターのみの動作速度を大きくすべきであると判断できる場合には、スキャナーのみの動作速度を抑制した第４モードを選択できる。反対に、コピー設定と原稿の量とに基づいて、スキャナーのみの動作速度を大きくすべきであると判断できる場合には、プリンターのみの動作速度を抑制した第３モードを選択できる。このように、スキャナーとプリンターの動作を柔軟に選択できるため、コピー設定と原稿の量とに応じてコピー装置を適切に静音化できる。
【０００７】
ここで、制御部は、コピー設定として部単位コピーを行う設定と割り付けコピーを行う設定の少なくとも一方を受け付けている場合には、第１モードと第２モードと第３モードのなかから、スキャナーとプリンターとを動作させる動作モードを選択してもよい。すなわち、部単位コピーと割り付けコピーのいずれかを行う場合には、静音スキャン動作でスキャナーを動作させ、通常印刷動作でプリンターを動作させる第４モードを選択しないようにしてもよい。部単位コピーを行う場合、全原稿のスキャンを終了しなければ２部目の印刷を開始することができない。一方、割り付けコピーを行う場合、割り付け枚数の分の原稿のスキャンを終了しなければ１枚目の印刷を開始することができない。すなわち、部単位コピーを行う場合と割り付けコピーを行う場合のいずれにおいても、スキャナーのスキャン完了待ちが生じやすくなる。このような状況において、第４モードを選択しないようにすることにより、プリンターのみの動作速度を大きくすることを防止し、スキャナーのスキャン完了待ちが生じることを防止できる。
【０００８】
また、制御部は、コピー設定として部単位コピーを行う設定と割り付けコピーを行う設定のいずれも受け付けていない場合には、第１モードと第２モードと第４モードのなかから、スキャナーとプリンターとを動作させる動作モードを選択してもよい。すなわち、部単位コピーと割り付けコピーのいずれも行わない場合には、通常スキャン動作でスキャナーを動作させ、静音印刷動作でプリンターを動作させる第３モードを選択しないようにしてもよい。部単位コピーと割り付けコピーのいずれも行わない場合において、スキャナーのスキャン完了待ちが生じにくい。このような状況においては、スキャナーのみの動作速度を大きくする必要性に乏しいため、第３モードを選択しないようにしてもよい。スキャナーのスキャン完了待ちが生じにくいのであるから、例えばスキャナーとプリンターの双方の動作速度を大きくしてもよい。
【０００９】
さらに、取得部は、スキャナーに備えられ、原稿の総重量を測定する重量計であってもよい。原稿の総重量が大きいほど原稿の枚数が大きいと推定できる。さらに、制御部は、原稿の総重量を原稿１枚あたりの重量で除算することにより原稿の枚数を取得してもよい。
【００１０】
また、取得部は、スキャナーに備えられ、原稿の総厚を測定する厚さ計であってもよい。原稿の総厚が大きいほど原稿の枚数が大きいと推定できる。さらに、制御部は、原稿の総厚を原稿１枚あたりの厚みで除算することにより原稿の枚数を取得してもよい。
【図面の簡単な説明】
【００１１】
【図１】図１Ａはコピー装置の斜視図、図１Ｂはコピー装置の機能ブロック図である。
【図２】コピー制御処理のフローチャートである。
【図３】図３Ａ，３Ｂはスキャンと印刷のタイミングチャートである。
【図４】コピー設定と動作モードとの関係を示す表である。
【発明を実施するための形態】
【００１２】
以下、本発明の実施の形態を以下の順序にしたがって添付図面を参照しながら説明する。なお、各図において対応する構成要素には同一の符号が付され、重複する説明は省略される。
（１）第１実施形態：
（２）他の実施形態：
【００１３】
（１）第１実施形態：
図１Ａは、本発明の第１実施形態にかかるコピー装置１の斜視図である。コピー装置１は、筐体１０とスキャナー２０とプリンター３０と操作部４０と制御部５０（図１において不図示）とを備える。筐体１０には、スキャナー２０とプリンター３０と制御部５０とを一体的に組み込まれている。制御部５０は、スキャナー２０とプリンター３０と操作部４０とを制御するためのコンピューターである。
【００１４】
操作部４０は、例えば筐体１０の前面に備えられている。操作部４０は、コピー設定を受け付けるためのソフトウェアキーを表示し、当該ソフトウェアキーが表示された領域に対する物体（指、タッチペン等）の接触を検知するタッチパネルディスプレイＴと、ハードウェアキー群Ｋとを含む操作パネルである。操作部４０は、タッチパネルディスプレイＴのタッチセンサーやハードウェアキー群Ｋにて検知した信号を制御部５０に出力する。そして、受付部としての制御部５０は、操作部４０にて検知された信号に基づいてコピー設定を受け付ける。なお、受付部としての制御部５０は、パーソナルコンピューター等の外部機器にて指定されたコピー設定を取得するように構成されてもよい。
【００１５】
図１Ａに示すように、スキャナー２０は、原稿トレイ２１と読取台２３とを備える。原稿トレイ２１は複数の原稿Ｄを重ねた状態でセット可能なトレイである。原稿トレイ２１は、取得部としての重量センサー２１ａを備える。重量センサー２１ａは、原稿Ｄの重量（重ねた状態でセットされた複数の原稿Ｄの総重量）を測定する重量計である。重量センサー２１ａは、例えば原稿Ｄに作用する重力に抗して原稿Ｄを下方または斜め下方から支持する原稿トレイ２１の支持面に備えられている。制御部５０は、重量センサー２１ａが測定した原稿Ｄの総重量を取得する。
【００１６】
図１Ｂは、コピー装置１の機能ブロック図である。スキャナー２０は、図１Ａに図示された構成のほかに、原稿搬送部２２とイメージセンサー２４とを備える。原稿搬送部２２は、原稿トレイ２１にセットされた原稿Ｄを１枚ずつ読取台２３へと搬送するとともに、読取台２３にてスキャンが完了した原稿を排出するための構成である。原稿搬送部２２は、原稿搬送モーター２２ａを備え、原稿搬送モーター２２ａによって、原稿トレイ２１の原稿Ｄを１枚ずつピックアップするピックアップローラーや、原稿Ｄに接触して搬送経路上を搬送する搬送ローラー等が駆動する。
【００１７】
読取台２３は、透明な板であり、搬送された原稿Ｄの読み取り面に対して下方から接触する。イメージセンサー２４は、読取台２３の下方に備えられ、読取台２３上に搬送された原稿Ｄの読み取り面を撮像するラインセンサーである。読取台２３上にて原稿Ｄを搬送することにより、イメージセンサー２４と原稿Ｄとを搬送方向に相対移動させることができ、原稿Ｄの読み取り面をイメージセンサー２４にてスキャンできる。具体的に、スキャナー２０は、読取台２３における一定の位置にイメージセンサー２４を固定し、当該一定の位置を原稿Ｄの読み取り面が通過するように原稿Ｄを搬送させる。イメージセンサー２４は、原稿Ｄを撮像してスキャンデータを生成し、スキャンデータを制御部５０に出力する。
【００１８】
スキャナー２０は、少なくとも、通常スキャン動作と、通常スキャン動作よりも動作音が小さな静音スキャン動作とを切り替えて、原稿トレイにセットされた原稿を順次スキャンしてスキャンデータを生成する。通常スキャン動作とは、搬送経路上における原稿Ｄの搬送速度がＶnとなるスキャナー２０の動作であり、当該搬送速度に対応する回転速度で原稿搬送モーター２２ａが回転駆動する。静音スキャン動作とは、搬送経路上における原稿Ｄの搬送速度がＶs（＜Ｖn）となるスキャナー２０の動作であり、当該搬送速度に対応する回転速度で原稿搬送モーター２２ａが回転駆動する。原稿搬送モーター２２ａや搬送ローラーは、原稿搬送モーター２２ａの回転速度が大きくなるほど大きい音を発生し、通常スキャン動作よりも静音スキャン動作を行う場合の方が、スキャナー２０が発生する音が小さくなる。スキャナー２０は、通常スキャン動作と静音スキャン動作とのうち、制御部５０から指示された動作で原稿Ｄをスキャンする。
【００１９】
プリンター３０は、印刷媒体搬送部３２と印刷ヘッド３３とを備える。印刷媒体搬送部３２は、印刷前の印刷用紙（印刷媒体）がセットされる給紙トレイと、印刷媒体搬送モーター３２ａと、印刷後の印刷用紙が排出される排紙トレイとを備える。印刷媒体搬送部３２は、給紙トレイにセットされた印刷用紙を１枚ずつプラテンへと搬送するとともに、プラテンにて印刷が完了した印刷媒体を排紙トレイに排出するための構成である。印刷媒体搬送モーター３２ａによって、給紙トレイにセットされた印刷用紙を１枚ずつピックアップするピックアップローラーや、印刷用紙に接触して搬送経路上を搬送する搬送ローラー等が駆動する。印刷ヘッド３３は、プラテン上に印刷用紙に対してインクを吐出して画像を形成する構成である。プリンター３０は、制御部５０から出力された印刷画像データに基づいて印刷媒体搬送部３２と印刷ヘッド３３とを動作させることにより、印刷画像データが示す画像を印刷用紙に印刷する。むろん、プリンター３０の印刷方式はインクを吐出する方式に限定されない。
【００２０】
プリンター３０は、少なくとも、通常印刷動作と、通常印刷動作よりも動作音が小さな静音印刷動作とを切り替えて、スキャンデータ等の印刷画像データに基づいて印刷を行う。通常印刷動作とは、搬送経路上における印刷用紙の搬送速度がＷnとなるプリンター３０の動作であり、当該搬送速度に対応する回転速度で印刷媒体搬送モーター３２ａが回転駆動する。静音印刷動作とは、搬送経路上における印刷用紙の搬送速度がＷs（＜Ｗn）となるプリンター３０の動作であり、当該搬送速度に対応する回転速度で印刷媒体搬送モーター３２ａが回転駆動する。
【００２１】
印刷媒体搬送モーター３２ａや搬送ローラーは、印刷媒体搬送モーター３２ａの回転速度が大きくなるほど大きい音を発生し、通常印刷動作よりも静音印刷動作を行う場合の方が、プリンター３０が発生する音が小さくなる。プリンター３０は、通常印刷動作と静音印刷動作とのうち、制御部５０から指示された動作でスキャンデータ等の印刷画像データに基づく印刷を行う。なお、図１Ｂにて破線矢印で示すように、原稿Ｄをスキャンすることにより生成されたスキャンデータを印刷用に画像処理した印刷画像データに基づいて印刷を行うことは、原稿Ｄのコピーを行うことを意味する。
【００２２】
次に、フローチャートを用いて制御部５０の処理を説明する。図２は、コピー制御処理のフローチャートである。
まず、制御部５０は、原稿トレイ２１にセットされた原稿Ｄの総重量を取得する（ステップＳ１００）。次に、制御部５０は、原稿トレイ２１にセットされた原稿Ｄの一枚あたりの単位重量を取得する（ステップＳ１１０）。例えば、操作部４０において原稿Ｄの種類をユーザーが指定できるようになっており、制御部５０は、当該指定された種類に対応付けて記録媒体に記録されている原稿Ｄの単位重量を取得してもよい。なお、制御部５０は、原稿Ｄの余白部分における光の反射率や透過率等を測定するセンサーの測定結果に基づいて原稿Ｄの種類を取得してもよい。次に、制御部５０は、原稿トレイ２１にセットされた原稿Ｄの枚数（原稿Ｄの量）を取得する（ステップＳ１２０）。すなわち、制御部５０は、原稿トレイ２１にセットされた原稿Ｄの総重量を単位重量で除算することにより、原稿Ｄの枚数を取得する。
【００２３】
次に、制御部５０は、コピー設定を受け付ける（ステップＳ１３０）。すなわち、制御部５０は、操作部４０にて検知された操作の信号に基づいてコピー設定を受け付ける。本実施形態において、制御部５０は、コピー設定として、コピー部数と、部単位コピーを行うか否かと、割り付け枚数とを取得する。コピー部数とは、原稿Ｄの１枚あたりの複製の枚数である。
【００２４】
図３Ａ，３Ｂは、コピー設定とタクトタイムの関係を示す模式図である。なお、スキャナー２０よりもプリンター３０の方が高速で処理をするものとし、１枚の原稿Ｄのスキャンに要する所要期間が、１枚の複製の印刷に要する所要期間よりも大きいものとする。図３Ａ，３Ｂの横軸は時刻を示し、ａ欄は５枚の原稿Ｄをスキャンした場合のタクトタイムを示し、ｂ〜ｄ欄は印刷のタクトタイムを示す。図３Ａは通常スキャン動作を行った場合のタクトタイムを示し、図３Ｂは静音スキャン動作を行った場合のタクトタイムを示す。図３Ａ，３Ｂのａ欄に示された矩形枠は１枚の原稿Ｄのスキャンに要する所要期間を表し、矩形枠内の数字は原稿Ｄのスキャン順を意味する。図３Ａ，３Ｂのｂ（ｂ１，ｂ２）〜ｄ欄に示された矩形枠は１枚の複製の印刷に要する所要期間を表し、矩形枠内の数字は印刷されている複製に対応する原稿Ｄのスキャン順を意味する。
【００２５】
部単位コピーを行うとは、原稿Ｄのスキャン順どおりに原稿Ｄの複製を１枚ずつ順に印刷する処理を、コピー部数と同じ回数だけ繰り返すことを意味する。図３Ａ，３Ｂのｃ欄は５枚の原稿Ｄを部単位コピーありで４部印刷した場合のタクトタイムを示す。図３Ａ，３Ｂのｃ欄に示すように、部単位コピーにおいては、スキャン順の昇順に１枚ずつ印刷を行う処理を印刷部数だけ繰り返す。あるスキャン順の原稿Ｄの複製を印刷するためには、当該スキャン順の原稿Ｄのスキャンが完了している必要がある。図３Ａ，３Ｂのａ，ｃ欄に対比して示すように、原稿Ｄのスキャンが完了するまで印刷を待機する待機期間ｗが生じ得る。
【００２６】
部単位コピーを行わないとは、コピー部数と同じ枚数だけ原稿Ｄの複製を印刷する処理を、原稿Ｄのスキャン順に行うことを意味する。図３Ａのｂ１欄および図３Ｂのｂ欄は、通常印刷動作によって、５枚の原稿Ｄを部単位コピーなしで４部印刷した場合のタクトタイムを示す。図３Ａのｂ２欄は、静音印刷動作によって、５枚の原稿Ｄを部単位コピーなしで４部印刷した場合のタクトタイムを示す。図３Ａ，３Ｂのｂ（ｂ１，ｂ２）欄に示すように、部単位コピーなしの場合においては、同一の原稿Ｄの印刷を印刷部数だけ行い、その後、スキャン順が次の原稿Ｄの印刷を印刷部数だけ行う処理を原稿Ｄの数だけ繰り返す。
【００２７】
割り付け枚数とは、１枚の印刷用紙に割り付けられて印刷される原稿Ｄの枚数を意味する。なお、割り付け枚数が１枚であることは割り付けコピーを行わないことを意味し、割り付け枚数が２枚以上であることは割り付けコピーを行わなうことを意味する。図３Ａ，３Ｂのｄ欄は５枚の原稿Ｄを２枚の割り付け枚数ありで４部印刷した場合のタクトタイムを示す。図３Ａ，３Ｂのｄ欄に示すように、スキャン順が連続する２枚の原稿Ｄの複数が単一の印刷用紙に対する印刷によって完了する。図３Ａ，３Ｂのａ，ｄ欄に対比して示すように、割り付け枚数分の原稿Ｄのスキャンが完了するまで印刷を待機する待機期間ｗが生じ得る。
【００２８】
ここで、フローチャートの説明に戻る。コピー設定を受け付けると、制御部５０は、総印刷枚数を取得する（ステップＳ１４０）。総印刷枚数とは、プリンター３０が印刷する原稿Ｄの複製の総枚数であり、原稿Ｄの枚数がＸ枚であり、コピー部数がＹ部であり、割り付け枚数がＺ枚であれば、［Ｘ／Ｚ］×Ｙ枚が総印刷枚数となる。なお、［Ｘ／Ｚ］はＸ／Ｚの小数点以下を切り上げた数を意味することとする。
【００２９】
次に、制御部５０は、コピー設定と原稿Ｄの枚数とに応じて動作モードを選択する（ステップＳ１５０）。動作モードを選択すると、制御部５０は、選択した動作モードでスキャナー２０とプリンター３０とを動作させてコピーを行う（ステップＳ１６０）。以下、動作モードについて詳細に説明する。
【００３０】
図４は、コピー設定と原稿Ｄの枚数との組み合わせと、動作モードとの関係を示す表である。図４の右端の列に動作モードを示している。動作モードとは、スキャナー２０とプリンター３０の動作の組み合わせである。図４に示すように、制御部５０は、第１〜第４モードを含む動作モードのなかから、コピー設定と原稿Ｄの量とに応じて選択した動作モードでスキャナー２０とプリンター３０とを動作させて、原稿Ｄのコピーを行わせる。ここで、動作モードは以下のように定義される。
・第１モード
通常スキャン動作でスキャナー２０を動作させ、通常印刷動作でプリンター３０を動作させるモード
・第２モード
静音スキャン動作でスキャナー２０を動作させ、静音印刷動作でプリンター３０を動作させるモード
・第３モード
通常スキャン動作でスキャナー２０を動作させ、静音印刷動作でプリンター３０を動作させるモード
・第４モード
静音スキャン動作でスキャナー２０を動作させ、通常印刷動作でプリンター３０を動作させるモード
【００３１】
コピー設定と原稿Ｄの量とに基づいて、プリンター３０のみの動作速度を大きくすべきであると判断できる場合には、スキャナー２０のみの動作速度を抑制した第４モードを選択できる。反対に、コピー設定と原稿Ｄの量とに基づいて、スキャナー２０のみの動作速度を大きくすべきであると判断できる場合には、プリンター３０のみの動作速度を抑制した第３モードを選択できる。
【００３２】
具体的に、図４に示すように、原稿Ｄの枚数が第１閾値以上である場合、制御部５０は、通常スキャン動作によって原稿Ｄをスキャンするようにスキャナー２０を制御する（第１モードまたは第３モードを選択）。原稿Ｄの枚数が第１閾値以上である場合に通常スキャン動作を選択することにより、原稿Ｄの全枚数のスキャンの所要期間を抑制できる。第１閾値は、予め制御部５０の記録媒体に記録された固定値であってもよいし、ユーザーの設定値であってもよい。一方、原稿Ｄの枚数が第１閾値未満である場合にはスキャンの所要期間の抑制する必要性が小さいため、原則として、制御部５０は、静音スキャン動作によって原稿Ｄをスキャンするようにスキャナー２０を制御する（第２モードまたは第４モードを選択）。
【００３３】
ただし、例外として、原稿Ｄの枚数が第１閾値未満である場合であっても、コピー設定として部単位コピーを行う設定と割り付けコピーを行う設定の少なくとも一方を受け付けている場合には、制御部５０は、通常スキャン動作によって原稿Ｄをスキャンするようにスキャナー２０を制御する（図４にて白丸で示すように第１モードまたは第３モードを選択）。すなわち、制御部５０は、コピー設定として部単位コピーを行う設定と割り付けコピーを行う設定の少なくとも一方を受け付けている場合には、第１モードと第３モードのなかから動作モードを選択し、第４モードを選択しないようにしている。
【００３４】
図３Ａ，３Ｂのｃ，ｄ欄に示すように、部単位コピーと割り付けコピーとを行う場合、複製を印刷しようとしている原稿Ｄのスキャンが完了するまで印刷を待機する待機期間ｗが生じやすい。原稿Ｄの枚数が第１閾値未満である場合であっても、部単位コピーと割り付けコピーの少なくとも一方を行う場合に、通常スキャン動作によって原稿Ｄをスキャンすることにより、待機期間ｗを抑制することができる。すなわち、部単位コピーと割り付けコピーの少なくとも一方を行う場合に、プリンター３０のみの動作速度を大きくすることを防止し、スキャナー２０のスキャン完了待ちが生じることを防止できる。図３Ｂのｃ，ｄ欄のように静音スキャン動作を行う場合よりも、図３Ａのｃ，ｄ欄のように通常スキャン動作を行った場合の方が待機期間ｗを抑制できる。
【００３５】
図４に示すように、総印刷枚数が第２閾値以上である場合、制御部５０は、通常印刷動作によって原稿Ｄの複製を印刷するようにプリンター３０を制御する（第１モードまたは第４モードを選択）。総印刷枚数が第２閾値以上である場合に通常スキャン動作を選択することにより、全複製の印刷の所要期間を抑制できる。第２閾値は、予め制御部５０の記録媒体に記録された固定値であってもよいし、ユーザーの設定値であってもよい。一方、総印刷枚数が第２閾値未満である場合、制御部５０は、原則として、静音印刷動作によって原稿Ｄの複製を印刷するようにプリンター３０を制御する（第２モードまたは第３モードを選択）。
【００３６】
ただし、例外として、総印刷枚数が第２閾値未満である場合であっても、原稿Ｄの枚数が第１閾値以上であり、かつ、コピー設定として部単位コピーを行う設定と割り付けコピーを行う設定のいずれも受け付けていない場合には、制御部５０は、通常印刷動作によって原稿Ｄの複製を印刷するようにスキャナー２０を制御する（図４にて黒四角で示すように第１モードを選択）。原稿Ｄの枚数が第１閾値以上であり、通常スキャン動作でスキャンを行い、かつ、部単位コピーと割り付けコピーのいずれも行わない場合には、通常印刷動作によって原稿Ｄの複製を印刷する。すなわち、コピー設定として部単位コピーを行う設定と割り付けコピーを行う設定のいずれも受け付けていない場合には、第１モードと第２モードと第４モードのなかから動作モードを選択し、第３モードを選択しないようにしている。
【００３７】
ここで、部単位コピーと割り付けコピーのいずれも行わず、通常スキャン動作を行う場合には、スキャナー２０のスキャン完了待ちが生じにくい。このように、スキャナー２０のスキャン完了待ちが生じにくい状況において、スキャナー２０とプリンター３０の双方の動作速度を大きくして、スキャナー２０とプリンター３０のタクトタイムを抑制できる通常スキャン動作でスキャンを行い、かつ、部単位コピーと割り付けコピーのいずれも行わない場合において、図３Ａのｂ２欄のように静音印刷動作を行う場合よりも、図３Ａのｂ１欄のように通常印刷動作を行った場合の方がスキャナー２０とプリンター３０のタクトタイムを抑制できる。
【００３８】
（２）他の実施形態：
なお、本発明の技術的範囲は、上述した実施形態に限定されるものではなく、上述した実施形態を組み合わせることを含め、本発明の要旨を逸脱しない範囲内において種々変更を加え得ることは勿論である。
【００３９】
前記実施形態において、制御部５０は、第１〜第４モードのなかから動作モードを選択したが、第１〜第４モードのほかに他のモードを選択してもよい。例えば、静音の度合いが３段階以上のスキャン動作が設けられてもよく、３段階以上のスキャン動作のなかで、静音スキャン動作が通常スキャン動作よりも音が静かな動作である関係が成立していればよい。同様に、静音の度合いが３段階以上の印刷動作のなかで、静音印刷動作が通常印刷動作よりも音が静かな動作である関係が成立していればよい。むろん、制御部５０は、図４の表と異なる規則で動作モードを選択してもよい。例えば、制御部５０は、図４にて黒四角で示す場合に、第１モードではなく第３モードを選択してもよい。また、コピー装置１は、スキャナー２０とプリンター３０とのどちらが高速に動作する物であってもよいし、両者が同じ速度で動作する物であってもよい。
【００４０】
また、制御部５０は、コピー設定として、部単位コピーと割り付けコピー以外の設定も考慮して動作モードを選択してもよい。例えば、制御部５０は、コピー設定として逆順コピーや両面コピーが設定された場合も、スキャナー２０のスキャン完了待ちが生じやすくなるため、制御部５０は、第４モードを選択しないようにしてもよい。また、原稿Ｄの枚数や総印刷枚数が大きくなるほど、全体のタクトタイムに与える待機期間ｗの影響度が小さくなる。従って、原稿Ｄの枚数や総印刷枚数が所定の値以上となった場合には、部単位コピーと割り付けコピーとのうちの少なくとも一方を行う場合でも、制御部５０は、静音スキャン動作をスキャナー２０に行わせてもよい。
【００４１】
また、通常スキャン動作における原稿１枚あたりのスキャン所要期間Ｓ1と、静音スキャン動作における原稿１枚あたりのスキャン所要期間Ｓ2と、割り付けコピーにおける割り付け枚数Ｚと、原稿Ｄの枚数Ｈと、印刷部数Ｙと、通常印刷動作における複製１枚あたりの印刷所要期間Ｐ1と、静音印刷動作における複製１枚あたりのスキャン所要期間Ｐ2と、に基づいて待機期間ｗの総和を導出できる。例えば、図３Ａのｃ欄に示すように、通常スキャン動作と通常印刷動作（第１モード）によって部単位コピーを行った場合の待機期間ｗの総和は、Ｓ1＋（Ｓ1−Ｐ1）×（Ｈ−１）と導出できる。図３Ｂのｃ欄に示すように、静音スキャン動作と通常印刷動作（第４モード）によって部単位コピーを行った場合の待機期間ｗの総和は、Ｓ2＋（Ｓ2−Ｐ1）×（Ｈ−１）と導出できる。同様に、図３Ａのｄ欄に示すように、通常スキャン動作と通常印刷動作（第１モード）によって割り付けコピーを行った場合の待機期間ｗの総和（Ｓ1×Ｚ）も導出できる。このように、制御部５０は、待機期間ｗの総和を導出し、待機期間ｗの総和が予め設定された値以下となるように動作モードを選択してもよい。例えば、２個の動作モードにおける待機期間ｗの総和の差が閾値以下である場合、制御部５０は、動作音が小さくなる方の動作モードを選択してもよい。
【００４２】
なお、取得部は、原稿の量を取得することが可能な構成であればよく、原稿の量を取得することが可能であれば、ステップＳ１００〜Ｓ１１０を行わなくてもよい。例えば原稿全面の総重量ではなく、原稿を複数の支持部材で支持をし、そのうちの１の支持部材にかかる重量を測定し、その重量から原稿の枚数を取得してもよい。また、受付部にてユーザーが原稿の枚数を入力し、その枚数を取得部が取得してもよい。また、取得部は、スキャナー２０に備えられ、原稿の総厚を測定する厚さ計であってもよい。厚さ計は、原稿の厚み方向に複数配列され、原稿と平行な方向に発光および受光する発光部と受光部とを備えてもよい。そして、厚さ計は、原稿が遮光することによって、受光ができなかった受光部の位置に基づいて原稿の厚みを測定してもよい。また、厚さ計は、原稿の表面に接触可能なプローブを備え、原稿の表面に接触した際のプローブの位置に基づいて原稿の厚みを測定してもよい。
【符号の説明】
【００４３】
１…コピー装置、１０…筐体、２０…スキャナー、２１…原稿トレイ、２１ａ…重量センサー、２２…原稿搬送部、２２ａ…原稿搬送モーター、２３…原稿台、２４…イメージセンサー、３０…プリンター、３２…印刷媒体搬送部、３２ａ…印刷媒体搬送モーター、３３…印刷ヘッド、４０…受付部、５０…制御部
【図１】
2016165039.tif 000003
【図２】
2016165039.tif 000004
【図３】
2016165039.tif 000005
【図４】
2016165039.tif 000006